(57)【要約】【課題】保持する耐火物との間で熱応力が作用しにくく、耐火物に亀裂が発生しにくいアンカー金物を提供する。【解決手段】アンカー金物１を、取付け対象面に取り付けられる基端部１０ａと、基端部１０ａから突出した突出部１０ｂとを具備し、突出部１０ｂの少なくとも一部がコイルバネ１１，１２，１３で形成されている構成とする。また、上記構成において、アンカー金物を、突出部の全体がコイルバネで形成されている構成としてもよい。【選択図】図１
2014163659.tif 000002
【特許請求の範囲】
【請求項１】
取付け対象面に取り付けられる基端部と、
該基端部から突出した突出部とを具備し、
該突出部の少なくとも一部は、コイルバネで形成されている
ことを特徴とするアンカー金物。
【請求項２】
前記突出部の全体が、コイルバネで形成されている
ことを特徴とする請求項１に記載のアンカー金物。
【請求項３】
前記突出部は、それぞれの軸方向が相違する複数のコイルバネを備える
ことを特徴とする請求項１または請求項２に記載のアンカー金物。
【発明の詳細な説明】
【技術分野】
【０００１】
本発明は、耐火物を鉄皮などの外殻に支持させるアンカー金物に関するものである。
【背景技術】
【０００２】
鉄皮やコンクリートの外殻に耐火物を支持させるために、アンカー（「スタッド」と称されることもある）が使用される。耐火物製のアンカー煉瓦、セラミックス製のセラミックアンカーもあるが、アンカー金物（金属製のアンカー）が、製鉄工業、セメント工業、廃棄物焼却設備など広い分野で多用されている。
【０００３】
アンカー金物は、鉄皮などの取付け対象面に取付けられる基端部と、基端部から突出した突出部を有しており、耐火物に埋設されたアンカー金物は、突出部で耐火物を保持し、基端部を介して耐火物を取付け対象面に支持させる。アンカー金物の突出部は、一般的にＹ字形状、Ｖ字形状、Ｌ字形状を呈している。その他、Ｙ字やＬ字において基端部から延びる軸部に、更にＶ字部を有する形状など、種々の形状のアンカー金物がある。このようなアンカー金物は、従前より、金属棒を屈曲させ、或いは、複数の金属棒を溶接等で接合することにより形成されている。
【０００４】
アンカー金物によって保持された耐火物は、極めて高温の環境下で使用されることにより、膨張と収縮を繰り返す。ところが、耐火物と金属とでは熱膨張率が大きく相違するため、アンカー金物と耐火物との間で熱応力が作用する。そのため、アンカー金物を起点として耐火物に亀裂が発生し、耐火物の耐用期間が短くなってしまうという問題があった。
【発明の概要】
【発明が解決しようとする課題】
【０００５】
そこで、本発明は、上記の実情に鑑み、保持する耐火物との間で熱応力が作用しにくく、耐火物に亀裂が発生しにくいアンカー金物の提供を、課題とするものである。
【課題を解決するための手段】
【０００６】
上記の課題を解決するため、本発明にかかるアンカー金物は、「取付け対象面に取り付けられる基端部と、該基端部から突出した突出部とを具備し、該突出部の少なくとも一部は、コイルバネで形成されている」ものである。
【０００７】
コイルバネは、軸方向に伸縮すると共に、軸方向に対して湾曲するように変形する。そのため、突出部の少なくとも一部がコイルバネで形成された本構成のアンカー金物では、突出部で保持する耐火物が膨張及び収縮した際に、その膨張及び収縮に追随してコイルバネが伸縮・変形する。これにより、アンカー金物の突出部と耐火物との間での熱応力の発生を抑制することができ、耐火物における亀裂の発生を抑制することができる。
【０００８】
なお、突出部の一部がコイルバネで形成されている場合、コイルバネ以外の部分は、金属棒で形成することができ、コイルバネと金属棒とは溶接により接合することができる。
【０００９】
本発明にかかるアンカー金物は、上記構成において、「前記突出部の全体が、コイルバネで形成されている」ものとすることができる。
【００１０】
本構成とすることにより、耐火物を保持している突出部の全体が、耐火物の膨張及び収縮に追随して伸縮・変形するため、アンカー金物の突出部と耐火物との間での熱応力の発生を抑制し、耐火物における亀裂の発生を抑制する作用を、より効果的に発揮することができる。
【００１１】
本発明にかかるアンカー金物は、上記構成において、「前記突出部は、それぞれの軸方向が相違する複数のコイルバネを備える」ものとすることができる。
【００１２】
本構成とすることにより、突出部が伸縮・変形可能な方向が種々となるため、耐火物の多方向の膨張及び収縮に追随することが可能となる。これにより、アンカー金物の突出部と耐火物との間での熱応力の発生を抑制し、耐火物における亀裂の発生を抑制する作用を、より効果的に発揮することができる。また、突出部においてコイルバネが多方向に延びているため、耐火物を保持する作用も高いものとなる。
【発明の効果】
【００１３】
以上のように、本発明の効果として、保持する耐火物との間で熱応力が作用しにくく、耐火物に亀裂が発生しにくいアンカー金物を、提供することができる。
【図面の簡単な説明】
【００１４】
【図１】本発明の第一実施形態であるアンカー金物の側面図である。
【図２】本発明の第二実施形態であるアンカー金物の側面図である。
【図３】本発明の第三実施形態であるアンカー金物の側面図である。
【図４】本発明の第四実施形態であるアンカー金物の側面図である。
【発明を実施するための形態】
【００１５】
以下、本発明の具体的な実施形態について、図１乃至図４を用いて説明する。
【００１６】
図１に示すように、第一実施形態のアンカー金物１は、取付け対象面に取り付けられる基端部１０ａと、基端部１０ａから突出した突出部１０ｂとを具備し、突出部１０ｂの一部がコイルバネ１１，１２，１３で形成されている。
【００１７】
具体的には、基端部１０ａはＬ字形に屈曲させた金属棒の片側の部分で構成され、もう片側の部分１５が突出部１０ｂの一部を構成している。この部分１５にはコイルバネ１１が接合されており、このコイルバネ１１には金属棒１６が同軸に接合され、金属棒１６の先端側を斜めに屈曲させた上で、その先端にコイルバネ１２が接合されている。更に、金属棒１６には軸方向を揃えてもう一本の金属棒１７が接合されており、この金属棒１７の先端側を金属棒１６とは反対側にほぼ同じ角度で屈曲させた上で、その先端にコイルバネ１３が接合されている。かかる構成により、突出部１０ｂ全体でＹ字形状を呈している。また、本構成では、コイルバネ１２，１３は、それぞれ軸方向がコイルバネ１１の軸方向と相違している。
【００１８】
図２に示すように、第二実施形態のアンカー金物２は、取付け対象面に取り付けられる基端部２０ａと、基端部２０ａから突出した突出部２０ｂとを具備し、突出部２０ｂの全体がコイルバネ２１，２２，２３，２４で形成されている。
【００１９】
具体的には、基端部２０ａは金属の平板で形成され、基端部２０ａに対して垂直にコイルバネ２１が接合されている。このコイルバネ２１の先端には、軸方向がコイルバネ２１の軸方向に対して斜めに傾くようにコイルバネ２２が接合されている。また、コイルバネ２１には軸方向を揃えてもう一本のコイルバネ２３が接合されており、このコイルバネ２３の先端には、軸方向がコイルバネ２２とは反対側にほぼ同じ角度で傾くようにコイルバネ２４が接合されている。かかる構成により、突出部２０ｂ全体でＹ字形状を呈している。また、本構成では、コイルバネ２２，２４は、それぞれ軸方向がコイルバネ２１，２３の軸方向と相違している。
【００２０】
図３に示すように、第三実施形態のアンカー金物３は、取付け対象面に取り付けられる基端部３０ａと、基端部３０ａから突出した突出部３０ｂとを具備し、突出部３０ｂの一部がコイルバネ３１，３２で形成されている。
【００２１】
具体的には、基端部３０ａは金属棒で構成されており、金属棒の両端部は同方向にほぼ同一の角度で斜めに屈曲し、二つの屈曲部３５，３６を形成している。これら二つの屈曲部３５，３６は突出部３０ｂの一部を構成しており、屈曲部３５，３６の先端にはそれぞれコイルバネ３１，３２が接合されている。かかる構成により、突出部３０ｂ全体でＶ字形状を呈している。また、本構成では、コイルバネ３１とコイルバネ３２とは、軸方向が相違している。
【００２２】
図４に示すように、第四実施形態のアンカー金物４は、取付け対象面に取り付けられる基端部４０ａと、基端部４０ａから突出した突出部４０ｂとを具備し、突出部４０ｂの一部がコイルバネ４１，４２で形成されている。
【００２３】
具体的には、基端部４０ａはＬ字形に屈曲させた金属棒の片側の部分で構成され、もう片側の部分４５が突出部４０ｂの一部を構成している。この部分４５にはコイルバネ４１が接合されており、このコイルバネ４１にはＬ字状に屈曲した金属棒４６の一端が接合されている。そして、金属棒４６の他端には、コイルバネ４２が接合されている。かかる構成により、突出部４０ｂ全体でＬ字形状を呈している。また、本構成では、コイルバネ４１とコイルバネ４２とは、軸方向が相違している。
【００２４】
上記のように、第一実施形態〜第四実施形態のアンカー金物１，２，３，４では、突出部の少なくとも一部が、軸方向に伸縮すると共に軸方向に対して湾曲するように変形するコイルバネで形成されている。これにより、突出部で保持する耐火物が膨張及び収縮した際に、その膨張及び収縮に追随してコイルバネが伸縮・変形するため、アンカー金物の突出部と耐火物との間での熱応力の発生を抑制することができ、ひいては、耐火物における亀裂の発生を抑制することができる。
【００２５】
なお、第一実施形態のアンカー金物１及び第四実施形態のアンカー金物４は、突出部１０ｂ，４０ｂの一部がコイルバネで形成されている例であり、第二実施形態のアンカー金物２は、突出部２０ｂの全体がコイルバネで形成されている例であり、第三実施形態のアンカー金物３は、突出部３０ｂのほぼ全体がコイルバネで形成されている例である。
【００２６】
また、何れの実施形態のアンカー金物１，２，３，４も、それぞれの軸方向が相違する複数のコイルバネを備えている。これにより、突出部が伸縮・変形できる方向が種々となるため、耐火物の多方向の膨張及び収縮に追随することが可能となる。
【００２７】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００２８】
例えば、上記の実施形態では、コイルバネと金属棒とをそれぞれの端部同士で接合する場合を例示したが、これに限定されず、コイルバネの端部近傍に金属棒の端部近傍を挿通した上で両者を接合してもよい。これにより、コイルバネと金属棒との接合強度が高いものとなる。
【００２９】
なお、耐火物は複数のアンカー金物に保持させるのが一般的であるが、本発明のアンカー金物のみを複数使用して耐火物を保持させても、本発明のアンカー金物と従来のアンカー金物とを併用して耐火物を保持させてもよい。
【符号の説明】
【００３０】
１  アンカー金物
１０ａ  基端部
１０ｂ  突出部
１１，１２，１３  コイルバネ
２  アンカー金物
２０ａ  基端部
２０ｂ  突出部
２１，２２，２３，２４  コイルバネ
３  アンカー金物
３０ａ  基端部
３０ｂ  突出部
３１，３２  コイルバネ
４  アンカー金物
４０ａ  基端部
４０ｂ  突出部
４１，４２  コイルバネ
【図１】
2014163659.tif 000003
【図２】
2014163659.tif 000004
【図３】
2014163659.tif 000005
【図４】
2014163659.tif 000006